(57)【要約】【課題】離席時に他人の悪用されることを防止するせり端末装置を提供すること。【解決手段】せり会場に設置され、せり情報を表示して、購買人のせり取引に使用されるせり端末装置１０において、せり端末装置から購買人が離席したかを判断する離席判断部２０と、購買人からの指示により応札を行う応札制御部１６と、せり情報の表示を制御するせり情報表示制御部１８と、応札制御部１６とせり情報表示制御部１８を少なくとも制御する制御部１４を備え、制御部１４は、離席判断部２０が購買人が離席したと判断する場合に、せり情報表示制御部１８の動作を継続し、応札制御部１６の動作を停止する。【選択図】図４
2015201141.tif 000002
【特許請求の範囲】
【請求項１】
せり会場に設置され、せり情報を表示して、購買人のせり取引に使用されるせり端末装置において、
前記せり端末装置から前記購買人が離席したかを判断する離席判断部と、
前記購買人からの指示により応札を行う応札制御部と
前記せり情報の表示を制御するせり情報表示制御部と、
前記応札制御部と前記せり情報表示制御部を少なくとも制御する制御部を備え、
前記制御部は、前記離席判断部が前記購買人が離席したと判断する場合に、前記せり情報表示制御部の動作を継続し、前記応札制御部の動作を停止する
ことを特徴とするせり端末装置。
【請求項２】
購買人用の椅子に着座時の重量を測定する重量センサーを備え、
前記離席判断部は、前記重量センサーによって前記購買人の離席を判断し、更に、離席後に着席があった場合に、離席前と離席後の着席時における前記重量センサーによる重量変化が設定範囲以内であるかを判断し、
前記制御部は、前記離席判断部により前記重量変化が設定範囲以内ではないと判断された場合には、前記せり情報表示制御部を停止する
ことを特徴とする請求項1に記載のせり端末装置。
【請求項３】
前記購買人を特定する認証部を備え、
前記制御部は、前記離席前と離席後の着席時における前記重量センサーによる重量変化が設定範囲以内であって、更に前記離席後に着席した購買人が前記離席前の購買人と同一人であることが前記認証部によって特定された場合に、前記応札制御部の動作を再開する
ことを特徴とする請求項２に記載のせり端末装置。
【請求項４】
前記制御部は、前記離席後の所定時間以内に前記離席判断部により着席があったと判断されない場合には、前記せり情報表示制御部の動作を停止する
ことを特徴とする請求項１に記載のせり端末装置。
【請求項５】
せり会場に設置され、せり情報を表示して、購買人のせり取引に使用されるせり端末装置のコンピュータにより実行されるプログラムにおいて、
前記せり端末装置から前記購買人が離席したかを判断する離席判断ステップと、
前記購買人からの指示により応札を行う応札ステップと
前記せり情報の表示を制御するせり情報表示制御ステップと、
前記応札ステップと前記せり情報表示制御ステップの動作を制御する制御ステップとを備え、
前記制御ステップは、前記離席判断ステップによって前記購買人が離席したと判断する場合に、前記せり情報表示制御ステップの動作を継続し、前記応札ステップの動作を停止する
ことを特徴とするプログラム。
【発明の詳細な説明】
【技術分野】
【０００１】
本発明は、端末によってせりが行われるせりシステムにおいて、せり会場に複数設置され購買人に提供されるせり端末装置に関する。
【背景技術】
【０００２】
中古車等のオークションでは、端末から応札が行われるせりシステムが活用される。このせりシステムは、一例として、出品者が出品する出品物（中古車）の情報（年式、車名、走行距離、画像（映像）など）を設定する業務端末と、業務端末から設定された出品物（中古車）の情報を受信する業務サーバー・映像サーバーと、業務サーバー・映像サーバーからオークションの出品物の情報を取得し、当日のスケジュールに沿ってせり情報を端末にブロードキャスト（同報）するせりサーバーと、せりサーバーに接続され会員である購買人に提供される応札端末装置(以下、せり端末装置と略す)と、から構成される。
（例えば、特許文献１）
【０００３】
購買人は、せり端末装置の画面で出品物を見て、応札する場合には、せり端末装置から応札価格を入力する。せりサーバーは、各せり端末装置からの応札価格を比較して現在価格情報を表示し、出品者の落札希望価格を超えて、最高応札価格で応札した購買人に当該中古車を落札させる。
【先行技術文献】
【特許文献】
【０００４】
【特許文献１】特開２０１３−１６１３６８号公報
【発明の概要】
【発明が解決しようとする課題】
【０００５】
購買人に提供されるせり端末装置はせり会場に多数設置される。通常のせり会場では、せり端末装置の席は特定されておらず、購買人は空いている席に自由に座って、せりに参加することになる。購買人はせり端末装置に座ると、まず自分のＩＤ番号を入力したり、あるいは専用ＩＣカードをかざすことで、せり端末装置をログオンする。ログオン後は、そのせり端末装置からの応札は、その購買人からのものとみなされるため、離席時には、他人に勝手に操作されないようログオフすることが推奨される。例えば、他人がログオンした状態のせり端末装置に勝手に座って、自分の出品物の値を勝手に釣り上げるような操作をする者がでるおそれがあるからである。
【０００６】
しかし、離席時のログオフ操作は購買人の自主性にまかされているので、徹底は難しく、短時間の離席の際には、ログオフ操作が行われないことが多い。また、せり端末装置には所定時間操作がされなければ自動的にログオフする機能も備わっているが、離席後、短時間の間に他人に着席され操作されることを防止することはできない。
【０００７】
本願発明は、上記課題に鑑み、離席時に他人の悪用されることを防止するせり端末装置
を提供することを目的とする。
【課題を解決するための手段】
【０００８】
上記目的を達成するために、せり会場に設置され、せり情報を表示して、購買人のせり取引に使用されるせり端末装置において、前記せり端末装置から前記購買人が離席したかを判断する離席判断部と、前記購買人からの指示により応札を行う応札制御部と、前記せり情報の表示を制御するせり情報表示制御部と、前記応札制御部と前記せり情報表示制御部を少なくとも制御する制御部を備え、前記制御部は、前記離席判断部が前記購買人が離席したと判断する場合に、前記せり情報表示制御部の動作を継続し、前記応札制御部の動作を停止する。
【発明の効果】
【０００９】
本発明によれば、離席時に他人の悪用されることを防止するせり端末装置を提供することができる。
【図面の簡単な説明】
【００１０】
【図１】本発明のせり端末装置が適用されるせり会場の様子を示す図である。
【図２】せり端末装置が設けられた机を斜め下から見た斜視図である。
【図３】せり端末装置が設けられた机と椅子の側面図である。
【図４】せり端末装置の構成を示すブロック図である。
【図５】離席後の席に他人がすり替わる場面を示す図である。
【図６Ａ】離席時の処理手順を説明するためのフローチャート１である。
【図６Ｂ】離席時の処理手順を説明するためのフローチャート２である。
【発明を実施するための形態】
【００１１】
以下、図面に従って本発明の実施形態を説明する。図１は、本発明のせり端末装置が適用されるせり会場の様子を示す図である。図１Ａは、せり端末装置１０が２台、机４０の左右に並べて置かれた様子である。本図では、横長の机４０に２台のせり端末装置１０が配置された例を示すが、机４０の１台にせり端末装置１０を１つずつ配置するようにしてもよい。図１Ｂは、図１Ａの向かって左側のせり端末装置１０を拡大して示している。
【００１２】
せり端末装置１０は、応札部１２、タッチパネルモニタ３０、カード認証部３２、人感センサー３４及び重量センサー３６を有する。図１では、本体部１５、人感センサー３４及び重量センサー３６は不図示である。図１Ｂで、正面がタッチパネルモニタ３０で、タッチパネルモニタ３０の右横にカード認証部３２が設けられ、机４０の下に応札部１２が設けられる。タッチパネルモニタ３０にはせり情報画像が表示される。
【００１３】
本体部１５は、せり端末装置１０全体を統括的に制御するＣＰＵ、ＣＰＵで実行されるプログラムが格納されたメモリ等を有する。タッチパネルモニタ３０は、せり情報を画面に表示するＬＣＤモニタと、各種操作を入力するタッチパネルが一体で構成されたものである。カード認証部３２は、かざされたＩＣカードと非接触で通信して、ＩＣカードに記憶されたデータを読取り、読取ったデータを本体部１５に出力する。
【００１４】
人感センサー３４は、せり端末装置１０の前に購買人（せり人とも呼ばれる）が座っているかを検出するセンサである。人感センサー３４は、例えば、一対の発光部と受光部から構成され、購買人の体で反射された光を受光して購買人の存在を検出する光センサである。発光光は赤外・可視いずれでもよい。また、人感センサー３４は、光学式以外に購買人が発せられる熱を検出する熱センサーであってもよいし、超音波の反射時間で人までの距離を計測する方式でもよい。また、これらの方式を複数組み合わせてもよい。重量センサー３６は、椅子に設けられ、椅子の座面にかかる購買人の重量を検出するセンサーである。
【００１５】
図２は、せり端末装置１０が設けられた机４０を斜め下から見た斜視図である。机４０のテーブル板の奥に、テーブル板に垂直に設けられた奥板の左右に、せり端末装置１０の本体部１５がそれぞれ取付けられる。机４０のテーブル板の裏の左右に応札部１２が設けられ、応札部１２の奥に円筒形状の人感センサー３４が取付けられる。
【００１６】
図３は、せり端末装置１０が設けられた机４０と椅子４２を、図１の右横方向から見た側面図である。購買人用の椅子４２には、座面に重量センサー３６が設けられる。重量センサー３６は、ケーブル４４によって本体部１５と接続される。
【００１７】
図４は、せり端末装置１０の構成を示すブロック図である。せり会場に設置される複数のせり端末装置１０は、サーバー５に接続される。サーバー５は、せりの進行を管理して、出品品の画像や応札用の画面を各せり端末装置１０に表示し、各せり端末装置１０から入力された応札情報に基づき落札者を決定する。
【００１８】
前述のように、せり端末装置１０は、本体部１５、タッチパネルモニタ３０、カード認証部３２、応札部１２、人感センサー３４及び重量センサー３６を有する。そして、本体部１５は、制御部１４を有する。制御部１４は、プログラムを読込んだＣＰＵによるソフトウェア処理により実現されるものである。また、制御部１４は、応札制御部１６、せり情報表示制御部１８及び離席判断部２０を有し、応札制御部１６、せり情報表示制御部１８及び離席判断部２０を制御する。
【００１９】
応札制御部１６は、購買人から応札部１２によりせり上げられた金額で、サーバー５に出品品の応札を行う。せり情報表示制御部１８は、サーバー５から送信されたせり情報画像をタッチパネルモニタ３０に表示を行い、購買人からの指示に応じてタッチパネルモニタ３０の画面の切換えを行う。せり情報画像には、出品物の画像や出品物の価格等が含まれ、出品物が順に表示される。
【００２０】
離席判断部２０は、人感センサー３４及び重量センサー３６の検出結果に基づき、購買人の離席や着席を判断する。更に離席判断部２０は、重量センサー３６の検出結果に基づき、着席者の同一性を判断する。
【００２１】
購買人がせり端末装置１０で応札するまでの流れを簡単に説明する。せり端末装置１０は、カード認証されるまではログオフ状態にされる。会員の者だけがせりに参加できるようにするためである。ログオフ状態では、制御部１４は、タッチパネルモニタ３０にＩＣカードをかざしてログオンするようガイドを表示するようにしてもよい。
【００２２】
着席した購買人が、自分のＩＣカードをカード認証部３２にかざすと、カード認証部３２は、かざされたＩＣカードのデータを読取る。制御部１４は、カード認証部３２で読取られたデータをサーバー５に送信して、承認を待つ。データベースとの照合を行ったサーバー５から承認通知があったら、制御部１４は、当該購買人の利用開始を許可（いわゆるログオン）する。
【００２３】
制御部１４は、応札制御部１６及びせり情報表示制御部１８の動作を開始する。せり情報表示制御部１８は、また、制御部１４は、離席判断部２０により、購買人が離席したと判断した場合には、離席中に他人に操作されないよう応札制御部１６及びせり情報表示制御部１８の動作を制限する処理を行う。これら処理の詳細については、以下図６のフローチャートで説明する。
【００２４】
図５は、離席後の席に他人がすり替わる場面を示す図である。左側の購買人が、例えば電話が入ったことで、立ち上がって離席する状態である。このような場面で、右隣に座っている購買人が、素早く左の席に移動することが可能となる。
【００２５】
図６Ａ、図６Ｂは、離席時に制御部１４が行うせり端末装置１０の動作制限の手順を説明するためのフローチャート１，２である。開始前はせり端末装置１０はログオフ状態である。ログオフ状態では、制御部１４は、「着席後、ＩＣカードをカード認証部３２にかざして下さい」というようなガイダンスをタッチパネルモニタ３０に表示する。
【００２６】
制御部１４は、離席判断部２０により人感センサがＯＮであるか？を判断する（ステップＳ１０）。購買人が着席することによって、人感センサがＯＦＦからＯＮに切換る。制御部１４は、離席判断部２０により人感センサがＯＮであると判断すると（ステップＳ１０ＹＥＳ）、制御部１４は、ＩＣカードの認証を受け付ける。制御部１４は、購買人がかざしたＩＣカードで認証がＯＫであるかを判断する（ステップＳ１２）。前述のように、カード認証部３２はかざされたＩＣカードからデータを読取り、制御部１４は読取ったデータをサーバー５に送信して照合する。サーバー５は、せり端末装置１０から送信されたデータを会員データベースと照合して、登録された会員であれば、せり端末装置１０に認証ＯＫを送信する。
【００２７】
制御部１４は、購買人がかざしたＩＣカードの認証がＯＫであると判断すると（ステップＳ１２ＹＥＳ）、ログオン（利用開始を許可）する（ステップＳ１４）。
【００２８】
一方、制御部１４は、離席判断部２０により人感センサがＯＮと判断されるまでは（ステップＳ１０ＮＯ）、ＩＣカードの認証を許可しない。また、制御部１４は、購買人がかざしたＩＣカード認証がＯＫであると判断されるまで（ステップＳ１２ＮＯ）、ステップＳ１２をループする。なお、制御部１４は、人感センサがＯＮになった後、一定時間内に認証がされなければ、警告を発するようにしてもよい。
【００２９】
制御部１４は、ログオン後、せり情報表示制御部１８の動作を開始してせり画面を表示し（ステップＳ１６）、応札制御部１６の動作を開始し応札操作を許可する（ステップＳ１８）。また、離席判断部２０は、重量センサー３６による購買人の重量測定を開始する（ステップＳ２０）。再着席時に同一人であるかの判断を行うためである。離席判断部２０は、定期的（例えば、１０秒間隔）に重量を測定し、購買人の平均重量を算出する。
【００３０】
応札制御部１６及びせり情報表示制御部１８の動作が許可されたことで、購買人は、現に座っているせり端末装置１０において、出品物を閲覧して、応札することが可能になる。そして、購買人は、せりを終えてせり端末装置１０を離れる場合には、せり端末装置１０のタッチパネルモニタ３０上でログオフ操作を行う。
【００３１】
制御部１４は、購買人によりログオフ操作が行われたかを判断し（ステップＳ２２）、ログオフ操作が行われたと判断すると（ステップＳ２２ＹＥＳ）、ログオフ処理を行い（ステップＳ２４）、ステップＳ１０に戻る。
【００３２】
制御部１４は、購買人によりログオフ操作が行われていないと判断する場合には（ステップＳ２２ＮＯ）、離席判断部２０は人感センサー３４及び重量センサー３６によって離席を判断する。離席判断部２０は、人感センサー３４がオフで（ステップＳ２６ＹＥＳ）、かつ重量センサー３６による重量が所定以下である場合に（ステップＳ２８ＹＥＳ）、購買人が離席したと判断する。
【００３３】
離席判断部２０は、人感センサー３４がオフでなく（ステップＳ２６ＮＯ）、あるいは重量センサー３６による重量が所定以下でない場合に（ステップＳ２８ＮＯ）、離席ではないとして、ステップＳ２２に戻る。人感センサー３４または重量センサー３６のいずれかだけで判断すると、購買人が大きく体を動かした場合でも離席と判断して、購買人に不便をかけるため、人感センサー３４及び重量センサー３６の両方で判断するようにする。
【００３４】
また、重量センサー３６は、重量が０でなくとも、所定以下（例えば、平均重量の１／４以下）で離席と判断する。購買人が、カバン等を置いて離席する場合もあるからである。
【００３５】
制御部１４は、離席判断部２０により離席を判断すると、まず、応札制御部１６の動作を停止して、応札操作を不可にする（ステップＳ３０）。制御部１４は、せり情報表示制御部１８の動作については継続する。
【００３６】
図６Ｂに進む。制御部１４は、離席時間が所定時間以内であるかを判断する（ステップＳ３２）。所定時間は、例えば、１０秒程度である。制御部１４は、離席時間が所定時間を越えたと判断すると（ステップＳ３２ＮＯ）、せり情報表示制御部１８の動作も停止して強制的にログオフして（ステップＳ３４）、ステップＳ１０に戻る。離席時間が一定時間以上続いた場合には、不正防止のためせり端末装置１０はログオフされ、せり情報表示制御部１８の動作も停止される。
【００３７】
制御部１４は、離席時間が所定時間以内であると判断する（ステップＳ３２ＹＥＳ）、離席判断部２０は人感センサー３４がＯＮであるかを判断する（ステップＳ３６）。離席判断部２０は人感センサー３４がＯＮではないと判断すると（ステップＳ３６ＮＯ）、ステップＳ３２に戻る。離席が継続している状態である。
【００３８】
離席判断部２０は人感センサー３４がＯＮであると判断すると（ステップＳ３６ＹＥＳ）、重量変化が設定以内であるかを判断する（ステップＳ３８）。離席判断部２０は、重量センサー３６により算出された離席前の購買人の平均重量と、離席後の再着席時に重量センサー３６により測定された重量を比較し、離席前の平均重量に対する再着席時の重量の差が設定値（例えば、２ｋｇ）以内であるかを判断する。重量変化により、再着席した者が同一人であるかの判断ができ、他人のすりかわりを防止することができる。
【００３９】
離席判断部２０は重量変化が設定以内でないと判断すると（ステップＳ３８ＮＯ）、制御部１４は強制的にログオフして（ステップＳ３４）、ステップＳ１０に戻る。離席判断部２０が重量変化が設定以内であると判断すると（ステップＳ３８ＹＥＳ）、制御部１４は、購買人用ＩＣカード再認証ＯＫであるかを判断する（ステップＳ４０）。なお、ステップＳ３０で応札制御部１６を停止すると同時に、応札再開のためにＩＣカード再認証が必要であることを、タッチパネルモニタ３０に表示するようにしてもよい。ＩＣカードによる認証は、ステップＳ１２と同様である。
【００４０】
制御部１４は、購買人用ＩＣカード再認証ＯＫであると判断すると（ステップＳ４０ＹＥＳ）、応札操作を可能にする（ステップＳ４２）。制御部１４は、本人確認が取れたとして、せり画面の閲覧のみ可能であった状態から、応札制御部１６の動作を再開させて、応札を可能にする。
【００４１】
また、制御部１４は、購買人用ＩＣカード再認証ＯＫではないと判断すると（ステップＳ４０ＮＯ）、制御部１４は強制的にログオフして（ステップＳ３４）、ステップＳ１０に戻る。  
【００４２】
以上説明した実施形態によれば、離席判断後、リスクの高い応札機能については直ちに停止することで、別人になりすましての不正な応札を防止することができる。更に、離席判断後に直ちにログオフするのではなく、一定時間はせり情報を表示して実害の少ない出品物の閲覧は可能な状態にしておくことで、席が空いていると思って座ろうとした人に、その席が他人が戻ってくる可能性があることを示すことができる。
【００４３】
なお、上記説明では、応札操作を可能にするためにステップＳ４０でＩＣカード再認証を必要としたが、ステップＳ３８での重量変化が設定範囲内であった場合には、ＩＣカード再認証なしで、応札操作を可能にするようにしてもよい。
【００４４】
なお、カード認証部３２での媒体はＩＣカードに限らず磁気カードであってもよい。また、個人認証は、カードに限らず、指紋・虹彩あるいは静脈による生体認証であってもよい。また、制御部１４および応札制御部１６等の各機能をソフトウェアにより実行すると説明したが、一部あるいは全部をハードウェアで実行するようにしてもよい。
【００４５】
なお、本発明は上述した実施形態そのままに限定されるものではく、実施段階でのその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素を適宜組み合わせても良い。さらに、異なる実施形態にわたる構成要素を適宜組み合わせてもよい。このような、発明の趣旨を逸脱しない範囲内において種々の変形や応用が可能であることはもちろんである。
【符号の説明】
【００４６】
１    せりシステム
５    サーバー
１０    せり端末装置
１２    応札部
１４    制御部
１５    本体部
１６    応札制御部
１８    せり情報表示制御部
２０    離席判断部
３０    タッチパネルモニタ
３２    カード認証部
３４    人感センサー
３６    重量センサー
４０    机
４２    椅子
４４    ケーブル
【図２】
2015201141.tif 000003
【図３】
2015201141.tif 000004
【図４】
2015201141.tif 000005
【図６Ａ】
2015201141.tif 000006
【図６Ｂ】
2015201141.tif 000007
【図１】
2015201141.tif 000008
【図５】
2015201141.tif 000009